(57)【要約】【課題】複数の野縁が交差する部分の強度を高めることができる接続金物及び接続方法を提供する。【解決手段】一実施形態に係る接続金物は、第１野縁３と、第１野縁３から第１野縁３と交差する第２方向Ｄ２に延在する第２野縁４と、を接続する接続金物１である。この接続金物１は、第１野縁３と第２野縁４との交差部分Ｐ１において第１野縁３に嵌り込む嵌入部１７と、交差部分Ｐ１において第２野縁４に嵌り込む嵌入部１５と、第１野縁３と第２野縁４に沿うと共に、第１野縁３及び第２野縁４が乗せられる天井面材５に沿って延在する底面部１１と、を備え、嵌入部１７が第１野縁３に嵌入し、嵌入部１５が第２野縁４に嵌入した状態において、第１野縁３の第２野縁４に沿った箇所以外の部分は、外方に露出している。【選択図】図１
2018040217.tif 000002
【特許請求の範囲】
【請求項１】
第１野縁と、前記第１野縁から前記第１野縁と交差する方向に延在する第２野縁と、を接続する接続金物であって、
前記第１野縁と前記第２野縁との交差部分において前記第１野縁に嵌り込む第１嵌入部と、
前記交差部分において前記第２野縁に嵌り込む第２嵌入部と、
前記第１野縁と前記第２野縁に沿うと共に、前記第１野縁及び前記第２野縁が乗せられる天井面材に沿って延在する底面部と、
を備え、
前記第１嵌入部が前記第１野縁に嵌入し、前記第２嵌入部が前記第２野縁に嵌入した状態において、前記第１野縁の前記第２野縁に沿った箇所以外の部分は、外方に露出している、
接続金物。
【請求項２】
前記底面部は、前記第１野縁と前記第２野縁の間で斜めに延びる斜辺を有し、前記斜辺において前記底面部から立ち上がる第１立ち上がり部を備える、
請求項１に記載の接続金物。
【請求項３】
前記第１野縁及び前記第２野縁のそれぞれに沿った位置において前記底面部から立ち上がる第２立ち上がり部を更に備える、
請求項１又は２に記載の接続金物。
【請求項４】
第１野縁と、前記第１野縁から前記第１野縁と交差する方向に延在する第２野縁と、を請求項１〜３のいずれか一項に記載の接続金物で接続する接続方法であって、
前記第１野縁に鉛直方向上方から前記第１嵌入部を嵌入する工程と、
前記第２嵌入部に鉛直方向下方から前記第２野縁を嵌入する工程と、
を備える接続方法。
【発明の詳細な説明】
【技術分野】
【０００１】
本発明は、吊り天井を構成する複数の野縁を接続する接続金物及び接続方法に関する。
【背景技術】
【０００２】
実開昭５１−８５５１８号公報には、複数の野縁を備えた天井構造が記載されている。この天井構造は、建物の上部から吊り具によって吊り下げられたクロスハンガと、クロスハンガに嵌合した複数のバー（野縁）と、これらのバーに乗せられた板状の天井材とを備えている。複数のバーは格子状に配置されており、複数のバーが交差する箇所には、格子の隅部で天井材に沿って延在する板状部材が設けられている。
【先行技術文献】
【特許文献】
【０００３】
【特許文献１】実開昭５１−８５５１８号公報
【発明の概要】
【発明が解決しようとする課題】
【０００４】
近年、地震等に対する安全性を高めるため、前述したような天井構造の強度を高めることが求められている。天井構造の強度を高めるためには、複数の野縁の交差部分の強度を高めることが必要である。
【０００５】
本発明は、複数の野縁が交差する部分の強度を高めることができる接続金物及び接続方法を提供することを目的とする。
【課題を解決するための手段】
【０００６】
本発明に係る接続金物は、第１野縁と、第１野縁から第１野縁と交差する方向に延在する第２野縁と、を接続する接続金物であって、第１野縁と第２野縁との交差部分において第１野縁に嵌り込む第１嵌入部と、交差部分において第２野縁に嵌り込む第２嵌入部と、第１野縁と第２野縁に沿うと共に、第１野縁及び第２野縁が乗せられる天井面材に沿って延在する底面部と、を備え、第１嵌入部が第１野縁に嵌入し、第２嵌入部が第２野縁に嵌入した状態において、第１野縁の第２野縁に沿った箇所以外の部分は、外方に露出している。
【０００７】
この接続金物は、第１野縁と第２野縁に沿うと共に、天井面材に沿って延在する底面部を備えている。このように天井面材に沿って延在する底面部を備えることにより、天井面材の面内方向にかかる曲げ等の力による変形を抑えることができるため、第１野縁と第２野縁との交差部分における強度を高めることができる。また、この接続金物では、第１嵌入部が第１野縁に嵌入し、第２嵌入部が第２野縁に嵌入した状態において、第１野縁の第２野縁に沿った箇所以外の部分が外方に露出している。このように、接続金物において、第１野縁の第２野縁に沿った箇所以外の部分が外方に露出することにより、接続金物の第１野縁を覆う余分な部分を省略することができるので、接続金物を軽量化させることができる。
【０００８】
また、前述した接続金物は、底面部が第１野縁と第２野縁の間で斜めに延びる斜辺を有し、斜辺において底面部から立ち上がる第１立ち上がり部を備えてもよい。この場合、接続金物は、第１野縁と第２野縁の間で斜めに延びる斜辺、第１野縁及び第２野縁に沿うと共に天井面材に沿って延在する底面部と、当該斜辺において底面部から立ち上がる第１立ち上がり部とを備えている。このように、底面部と、底面部から立ち上がる第１立ち上がり部とを備えることにより、底面部を薄くすることができるので更なる軽量化を実現させることができる。また、斜辺において底面部から立ち上がる第１立ち上がり部を備えているので、この第１立ち上がり部によって第１野縁と第２野縁が交差する部分の強度を高めることができる。
【０００９】
また、第１野縁及び第２野縁のそれぞれに沿った位置において底面部から立ち上がる第２立ち上がり部を更に備えていてもよい。この場合、接続金物の第１野縁に沿った部分、及び接続金物の第２野縁に沿った部分、の両方の強度を高めることができる。従って、底面部を薄くして軽量化を維持しながら交差部分の強度を一層高めることができる。
【００１０】
本発明に係る接続方法は、第１野縁と、第１野縁から第１野縁と交差する方向に延在する第２野縁と、を前述の接続金物で接続する接続方法であって、第１野縁に鉛直方向上方から第１嵌入部を嵌入する工程と、第２嵌入部に鉛直方向下方から第２野縁を嵌入する工程と、を備える。
【００１１】
この接続方法では、第１野縁に鉛直方向上方から接続金物の第１嵌入部を嵌入し、第２嵌入部に鉛直方向下方から第２野縁を嵌入する。従って、嵌入のみで接続金物を複数の野縁に接続させることができるので、接続金物の接続作業を容易に行うことができる。また、この接続方法で用いる接続金物は、前述した底面部を備えているので、第１野縁と第２野縁との交差部分における強度を高めることができる。
【発明の効果】
【００１２】
本発明によれば、複数の野縁が交差する部分の強度を高めることができる。
【図面の簡単な説明】
【００１３】
【図１】本実施形態に係る接続金物、第１野縁及び第２野縁を示す斜視図である。
【図２】第１野縁及び第２野縁の交差部分を拡大させた斜視図である。
【図３】接続金物と第２野縁との接合部分を示す断面図である。
【図４】接続金物を下方から見た斜視図である。
【図５】第１野縁と第２野縁を接続する接続方法を示す斜視図である。
【発明を実施するための形態】
【００１４】
以下では、図面を参照しながら本発明の実施形態について詳細に説明する。図面の説明について同一又は相当する要素には同一の符号を付し、重複する説明を省略する。
【００１５】
図１は、本実施形態に係る接続金物１を示す斜視図である。図１に示されるように、接続金物１は、例えば、複数の天井面材５を備えた天井構造に設けられており、この天井構造は、第１野縁３と、第１野縁３に交差する複数の第２野縁４とを備えている。第１野縁３の高さは、例えば第２野縁４の高さと同一である。また、第１野縁３と第２野縁４とは、同一平面内に配置されている。
【００１６】
以下では、第１野縁３が延びる方向を第１方向Ｄ１、第２野縁４が延びる方向を第２方向Ｄ２として説明する。例えば、第１野縁３及び第２野縁４は、共に天井面材５にビス止めされている。天井面材５は正方形状とされており、例えば天井面材５の一辺の長さは０．９ｍ程度である。天井面材５は、例えば、ポリエステル製の不織布基材を備えた天井材であってもよく、この場合、従来の天井材よりも軽量化することが可能である。天井面材５が軽量化されている場合には、地震等による天井面材５の落下に対する安全性が高められる。天井面材５の重量は、例えば石膏ボードの重量の１／１０である。一例として、天井面材５の単位面積当たりの重量は０．７ｋｇ／ｍ２であり、天井面材５の厚さは４．０ｍｍである。また、天井面材５は、既存のロックウール等よりも高い断熱性を備えており、天井面材５の熱伝導率は例えば０．０３３（Ｗ／ｍ・Ｋ）である。
【００１７】
接続金物１は、第１野縁３及び第２野縁４の交差部分Ｐ１に配置される。接続金物１は、第１野縁３及び第２野縁４の火打ちとしての機能を有しており、第１野縁３及び第２野縁４の交差部分Ｐ１を補強する。従って、前述のような軽量化された天井面材５を用いた場合であっても、接続金物１によって天井構造の面剛性等を、従来のものと比較して十分に確保することができる。
【００１８】
接続金物１は、第１野縁３及び第２野縁４の交差部分Ｐ１において、第１野縁３と第２野縁４とを緊結する。第２野縁４は、交差部分Ｐ１において２本に分断されており、各第２野縁４の第２方向Ｄ２の端部４ａは第１野縁３の側面３ａに対向している。接続金物１は、一の第２野縁４の端部４ａと、第１野縁３と、他の第２野縁４の端部４ａとを接続する。
【００１９】
第１野縁３を、その長手方向に直交する面で切断したときの断面は、上方に開口した形状とされている。この断面の形状は、例えば、上方に開口するコの字状である。第２野縁４の形状についても同様である。また、第１野縁３は、その上端で矩形状に内側且つ下方に折り返された折り返し部３ｂを、第１野縁３の幅方向に一対に備える。第２野縁４も同様の折り返し部４ｂを備える。
【００２０】
図１及び図２に示されるように、接続金物１は、全体として正方形状とされている。接続金物１は、接続金物１の対角線に沿って直線状に延びる嵌入部１５（第２嵌入部）を備える。嵌入部１５の両側には、４つの三角形状の底面部１１と、各底面部１１から立ち上がる第１立ち上がり部１３及び第２立ち上がり部１４とが設けられる。この接続金物１は、交差部分Ｐ１に対して菱形状に配置されている。底面部１１は、第１方向Ｄ１及び第２方向Ｄ２に延びる平面、すなわち天井面材５に沿って延在する。
【００２１】
４つの底面部１１のうち、例えば、２つの底面部１１は第１野縁３の一方側に設けられており、残り２つの底面部１１は第１野縁３の他方側に設けられている。また、各底面部１１は、第１野縁３に対して互いに対称となる位置に配置されている。第２方向Ｄ２に沿って並ぶ２つの底面部１１の間には第１方向Ｄ１に延びる空間が設けられており、この空間により、第１野縁３の第２野縁４が延びる箇所以外の部分が外方に露出している。すなわち、第２野縁４が延びる第２方向Ｄ２に沿って嵌入部１５が設けられるので、第１野縁３は、その嵌入部１５以外の部分が外方に露出している。
【００２２】
第１立ち上がり部１３は、三角形の斜辺１２において底面部１１から立ち上がる。第２立ち上がり部１４は、第１野縁３又は第２野縁４に沿った位置において底面部１１から立ち上がる。すなわち、接続金物１は、底面部１１を底面にすると共に、第１立ち上がり部１３及び第２立ち上がり部１４を側面とした三角形の有底箱状の部分を４箇所に備えている。
【００２３】
図２及び図３に示されるように、接続金物１において、嵌入部１５は、互いに隣り合う２つの底面部１１の間で上から各第２野縁４に嵌入する。嵌入部１５は、第２方向Ｄ２に延びる長尺状とされる。嵌入部１５は、第２方向Ｄ２に延びる上部１５ａを備えており、上部１５ａの幅方向の両側で下方に折り曲げられた部位が第２立ち上がり部１４に相当する。
【００２４】
上部１５ａは、その上面に第２方向Ｄ２に延びる一対の溝部１５ｂを有し、これらの溝部１５ｂは、例えば互いに対称に設けられる。このように、嵌入部１５は、溝部１５ｂを有することにより、強度が高められた形状とされている。また、嵌入部１５は、その下方に第２野縁４を嵌入させるための矩形状の凹部１５ｆ（図４参照）を備えており、この凹部１５ｆに、一の第２野縁４の端部４ａと、他の第２野縁４の端部４ａが下から嵌め込まれる。
【００２５】
図２、図３及び図４に示されるように、嵌入部１５の第２方向Ｄ２の両端それぞれには、上部１５ａから下方に延びる側面部１５ｃが設けられており、側面部１５ｃの下側には折り返し部２１が設けられている。側面部１５ｃは、例えば、横長に延びる板状とされている。側面部１５ｃの左右両端には、側面部１５ｃからＬ字状に突出する突出部１５ｅが設けられている。この突出部１５ｅの上下に延びる部分と側面部１５ｃとの間には窪み１５ｄが形成されている。
【００２６】
折り返し部２１は、側面部１５ｃの下方に延びる側面部２１ａと、側面部２１ａの下端で接続金物１の内側に折り曲げられた底面部２１ｂとを有する。折り返し部２１は、嵌入部１５の長手方向の両端に一対に設けられている。各側面部２１ａは、各側面部１５ｃと同一平面上に位置する。各底面部２１ｂは、各側面部２１ａの下端から嵌入部１５の長手方向の内側に折り曲げられている。なお、底面部２１ｂは、側面部２１ａの下端から嵌入部１５の長手方向の外側に折り曲げられていてもよい。
【００２７】
側面部１５ｃは、接続金物１を第２野縁４の端部４ａに嵌入させるために設けられる。具体的には、側面部１５ｃの各突出部１５ｅが第２野縁４の折り返し部４ｂの中に入り込むことにより、第２野縁４から側面部１５ｃが抜けそうになっても、突出部１５ｅが折り返し部４ｂに引っ掛かる。これにより、第２野縁４からの接続金物１の抜けが確実に防止される。更に、折り返し部２１の底面部２１ｂを第２野縁４とビス止めすれば、接続金物１の抜けは一層確実に阻止される。
【００２８】
図２及び図４に示されるように、嵌入部１５の長手方向の中央には、一対の切り欠き部１６が設けられており、各切り欠き部１６は接続金物１の下端から上方に延びている。切り欠き部１６には、上から第１野縁３に嵌入する嵌入部１７（第１嵌入部）と折り曲げ部２２とが設けられている。嵌入部１７は、側面部１５ｃと同様、突出部１７ｂと窪み１７ａとを一対に備えている。嵌入部１７の各突出部１７ｂが第１野縁３の折り返し部３ｂの中に嵌入し、これにより第１野縁３からの接続金物１の抜けが確実に防止される。
【００２９】
折り曲げ部２２は、折り返し部２１と同様、側面部２２ａ及び底面部２２ｂを備えている。各側面部２２ａは、各嵌入部１７から下方に延びている。各底面部２２ｂは、各側面部２２ａの下端から嵌入部１５の外側に折り曲げられている。なお、各底面部２２ｂは、各側面部２２ａの下端から嵌入部１５の内側に折り曲げられていてもよい。しかしながら、前述のように、各底面部２２ｂが嵌入部１５の外側に折り曲げられている場合には、底面部２２ｂ同士の干渉が回避されるので施工をしやすくなるという利点がある。
【００３０】
次に、図５を参照しながら第１野縁３及び第２野縁４に接続金物１を取り付けて第１野縁３と第２野縁４を接続する接続方法について説明する。本実施形態において、接続金物１は、２本の第２野縁４と、２本の第２野縁４の間を通る１本の第１野縁３と、を接続する。まず、鉛直方向上方から接続金物１を第１野縁３に嵌入する（接続金物を嵌入する工程）。具体的には、第１野縁３の直上に接続金物１が位置するように、第１野縁３に対する接続金物１の位置合わせを行う。そして、接続金物１を降ろして、嵌入部１７を上から第１野縁３の中に嵌入し、嵌入部１７の突出部１７ｂを一つずつ折り返し部３ｂに入れ込んでいくことによって第１野縁３に接続金物１を固定させる。
【００３１】
続いて、接続金物１に下から第２野縁４を嵌入させる（第２野縁を嵌入する工程）。このとき、嵌入部１５に下から各第２野縁４を入れ込むと共に、側面部１５ｃに下から一つずつ第２野縁４を嵌入する。そして、側面部１５ｃの突出部１５ｅを一つずつ折り返し部４ｂに入れ込んでいく。このように各第２野縁４を接続金物１に固定させることによって、接続金物１の取り付けが完了する。
【００３２】
次に、本実施形態に係る接続金物１及び接続方法の作用効果について説明する。
【００３３】
本実施形態に係る接続金物１は、第１野縁３及び第２野縁４に沿うと共に、天井面材５に沿って延在する底面部１１を備えている。このように天井面材５に沿って延在する底面部１１を備えることにより、天井面材５の面内方向にかかる曲げ等の力による変形を抑えることができるため、第１野縁３と第２野縁４との交差部分Ｐ１における強度を高めることができる。
【００３４】
また、接続金物１では、嵌入部１７が第１野縁３に嵌入し、嵌入部１５が第２野縁４に嵌入した状態において、図１及び図２に示されるように、第１野縁３の第２野縁４に沿った箇所以外の部分が外方に露出している。このように、接続金物１において、第１野縁３の第２野縁４に沿った箇所以外の部分が外方に露出することにより、接続金物１の第１野縁３を覆う余分な部分を省略することができる。従って、強度を高めた状態を維持しつつ接続金物１を軽量化させることができる。
【００３５】
特に、本実施形態では、２本の第２野縁４の間を第１野縁３が通るように配置されているため、第２野縁４と比較して第１野縁３は補強の必要性が低い。接続金物１では、第２野縁４の上部を嵌入部１５で覆うと共に、補強の必要性が低い第１野縁３の上部を露出させている。従って、補強が比較的不要な第１野縁３の一部を露出させることにより接続金物１の軽量化を実現させることができる。
【００３６】
また、接続金物１は、第１野縁３と第２野縁４の間で斜めに延びる斜辺１２を有し、斜辺１２において底面部１１から立ち上がる第１立ち上がり部１３を備える。このように、底面部１１と底面部１１から立ち上がる第１立ち上がり部１３とを備えることにより、底面部１１を板状等の薄い形状にできるので、軽量化を実現させることができる。また、斜辺１２において底面部１１から立ち上がる第１立ち上がり部１３を備えているので、この第１立ち上がり部１３によって第１野縁３と第２野縁４が交差する交差部分Ｐ１の強度を高めることができる。従って、複数の第１野縁３及び第２野縁４が交差する交差部分Ｐ１の強度を高めることができる。
【００３７】
特に、本実施形態において、接続金物１は、底面部１１を底面にすると共に第１立ち上がり部１３及び第２立ち上がり部１４を側面とした有底箱状の部位を備えている。接続金物１をこのような形状とすることによって、簡易な構成で軽量化及び強度向上の両方を実現させることができる。
【００３８】
また、接続金物１は、第１野縁３及び第２野縁４のそれぞれに沿った位置において底面部１１から立ち上がる第２立ち上がり部１４を備えている。よって、接続金物１の第１野縁３に沿った部分、及び接続金物１の第２野縁４に沿った部分、の両方の強度を高めることができる。従って、底面部１１を薄い形状として軽量化を維持しながら、交差部分Ｐ１の強度を一層高めることができる。
【００３９】
また、本実施形態の接続金物１では、上から第２野縁４に乗せられる嵌入部１５が第２野縁４に沿って一定長延在している。嵌入部１５は第２野縁４の上で延在するので、嵌入部１５の下部に位置する第２野縁４の長さを適宜変更することができる。すなわち、嵌入部１５が延びる範囲内において、２本の第２野縁４の間の間隔を適宜変更することができる。
【００４０】
本実施形態に係る接続方法は、第１野縁３に鉛直方向上方から接続金物１の嵌入部１７を嵌入し、嵌入部１５に鉛直方向下方から第２野縁４を嵌入する。従って、嵌入のみで接続金物１を第１野縁３及び第２野縁４に接続させることができるので、接続金物１の接続作業を容易に行うことができる。
【００４１】
以上、本発明の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変更が可能である。
【００４２】
例えば、前述の実施形態では、４つの三角形状の底面部１１と、底面部１１のそれぞれに対して設けられた第１立ち上がり部１３及び第２立ち上がり部１４と、を備えた接続金物１について説明した。しかしながら、本発明に係る接続金物の形状及び大きさは、例えば第２立ち上がり部１４の一部を省略する等、適宜変更可能である。また、底面部１１の一部に貫通孔を形成して更なる軽量化を図ってもよい。更に、折り返し部２１又は折り曲げ部２２を省略してもよいし、折り返し部２１及び折り曲げ部２２の形状を変更することも可能である。
【００４３】
また、前述の実施形態では、第１野縁３が第１方向Ｄ１に延在すると共に、第２野縁４が第１野縁３の両側から第２方向Ｄ２に延びる天井構造について説明した。しかしながら、本発明に係る接続金物及び接続方法は他の様々な天井構造にも適用可能であり、野縁の配置は、第１野縁３及び第２野縁４の配置とは異なっていてもよい。例えば、交差部分において、第１野縁が２本に分断されていてもよいし、２本の第１野縁の間に第２野縁が通っていてもよい。更に、天井面材の形状、大きさ、数及び配置についても、前述の天井面材５に限定されず、適宜変更可能である。
【符号の説明】
【００４４】
１…接続金物、３…第１野縁、３ａ…側面、３ｂ…折り返し部、４…第２野縁、４ａ…端部、４ｂ…折り返し部、５…天井面材、１１…底面部、１２…斜辺、１３…第１立ち上がり部、１４…第２立ち上がり部、１５…嵌入部（第２嵌入部）、１５ａ…上部、１５ｂ…溝部、１５ｃ…側面部、１５ｄ…窪み、１６…切り欠き部、１７…嵌入部（第１嵌入部）、１７ａ…窪み、１７ｂ…突出部、２１…折り返し部、２１ａ，２２ａ…側面部、２１ｂ，２２ｂ…底面部、２２…折り曲げ部、Ｄ１…第１方向、Ｄ２…第２方向、Ｐ１…交差部分。
【図１】
2018040217.tif 000003
【図２】
2018040217.tif 000004
【図３】
2018040217.tif 000005
【図４】
2018040217.tif 000006
【図５】
2018040217.tif 000007